(57)【要約】  不要なセンシング運転をすることなく効率的に動作する空調システムを得ることを目的とし、複数台の空調装置を管理するコントローラーを備えた空調システムにおいて、コントローラーは、複数台の空調装置の間欠運転制御状態を管理し、複数台の空調装置が間欠運転制御を行う際に、複数台の空調装置の１つを間欠運転制御におけるセンシング運転を代表で行う代表センシング装置と設定し、この代表センシング装置以外の空調装置は、間欠運転制御におけるセンシング運転を行わないように制御される。
2017104051.tif 000002
【特許請求の範囲】
【請求項１】
複数台の空調装置を管理するコントローラーを備えた空調システムにおいて、
前記コントローラーは、前記複数台の空調装置の間欠運転制御状態を管理し、
前記複数台の空調装置が間欠運転制御を行う際に、前記複数台の空調装置の１つを前記間欠運転制御におけるセンシング運転を代表で行う代表センシング装置と設定し、
前記複数台の空調装置のうち前記設定された代表センシング装置以外の空調装置は、前記間欠運転制御におけるセンシング運転を行わないように制御されることを特徴とする空調システム。
【請求項２】
前記コントローラーは、
前記間欠運転制御の種類に応じて代表センシング装置を設定することを特徴とする請求項１に記載の空調システム。
【請求項３】
前記コントローラーは、
管理している前記複数台の空調装置を複数のグループに分割してグループ毎に管理し、
分割された前記グループ内で複数台の空調装置が間欠運転を行う際には、
前記グループ内において代表センシング装置を設定し、
前記グループ内の前記代表センシング装置以外の空調装置は、前記間欠運転制御におけるセンシング運転を行わないように制御されることを特徴とする請求項１又は請求項２に記載の空調システム。
【請求項４】
前記コントローラーは、
前記間欠運転制御を最後に開始した空調装置を前記代表センシング装置と設定することを特徴とする請求項１から請求項３のいずれか一項に記載の空調システム。
【請求項５】
前記コントローラーは、
前記間欠運転制御を最初に開始した空調装置を前記代表センシング装置と設定することを特徴とする請求項１から請求項３のいずれか一項に記載の空調システム。
【発明の詳細な説明】
【技術分野】
【０００１】
本発明は、複数の空調装置を備える空調システムに関する。
【背景技術】
【０００２】
近年、オフィスビル又はテナントビルでは、オフィス毎又はテナント毎に空調装置が設置され、管理室に設置されたコントローラーによってビル全体の空調装置が管理される。特許文献１には、このような空調システム内の空調装置が換気機能を有する場合に、外気温度を検知し、この検知した外気温度検知値に基づいて各空調装置で間欠運転制御を行う技術が開示されている。
【先行技術文献】
【特許文献】
【０００３】
【特許文献１】特開２００３−７４９３７号公報
【発明の概要】
【発明が解決しようとする課題】
【０００４】
しかしながら、上記従来の技術によれば、同一のビル又は同一のフロアーに設置された複数台の空調装置が検知する外気温度には差がないにも関わらず、これら複数の空調装置が外気温度を検知するセンシング運転を行う。そのため、不要なセンシング運転により消費電力に無駄が生じる、という問題があった。【０００５】
本発明は、上記に鑑みてなされたものであって、不要なセンシング運転をすることなく効率的に動作する空調システムを得ることを目的とする。
【課題を解決するための手段】
【０００６】
上述した課題を解決し、目的を達成するために、本発明は、複数台の空調装置を管理するコントローラーを備えた空調システムにおいて、前記コントローラーは、前記複数台の空調装置の間欠運転制御状態を管理し、前記複数台の空調装置が間欠運転制御を行う際に、前記複数台の空調装置の１つを前記間欠運転制御におけるセンシング運転を代表で行う代表センシング装置と設定し、前記複数台の空調装置のうち前記設定された代表センシング装置以外の空調装置は、前記間欠運転制御におけるセンシング運転を行わないように制御されることを特徴とする。
【発明の効果】
【０００７】
本発明にかかる空調システムは、不要なセンシング運転をすることなく効率的に動作する空調システムを得ることができるという効果を奏する。
【図面の簡単な説明】
【０００８】
【図１】実施の形態１にかかる空調システムを備えるビルの一例を示す模式図
【図２】実施の形態１にかかる空調システムに含まれる空調装置の内部構成の一例を示す図
【図３】実施の形態１にかかる空調システムに含まれる空調装置を制御する駆動制御装置の内部構成の一例を示すブロック図
【図４】駆動制御装置の制御動作の一例を示すフローチャート
【図５】駆動制御装置の外気低温時の間欠運転制御の一例を示すフローチャート
【図６】駆動制御装置の外気高湿度時の間欠運転制御の一例を示すフローチャート
【図７】集中コントローラーの制御動作の一例を示すフローチャート
【図８】実施の形態１にかかる空調システムの制御シーケンスの一例を示す図
【図９】実施の形態１にかかる空調システムの制御シーケンスの一例を示す図
【図１０】実施の形態１にかかる空調システムの制御シーケンスの一例を示す図
【図１１】実施の形態１にかかる空調システムの制御シーケンスの一例を示す図
【図１２】実施の形態１にかかる空調システムの制御シーケンスの一例を示す図
【図１３】実施の形態１にかかる空調システムの制御シーケンスの一例を示す図
【図１４】実施の形態１にかかる空調システムの制御シーケンスの一例を示す図
【図１５】実施の形態１にかかる空調システムの制御シーケンスの一例を示す図
【図１６】実施の形態１にかかる空調システムの制御シーケンスの一例を示す図
【図１７】実施の形態１にかかる空調システムの制御シーケンスの一例を示す図
【図１８】実施の形態１にかかる空調システムの制御シーケンスの一例を示す図
【図１９】実施の形態１にかかる空調システムの制御シーケンスの一例を示す図
【図２０】実施の形態１にかかる空調システムを備えるビルの他の一例を示す模式図
【図２１】実施の形態１にかかる空調システムの制御シーケンスの一例を示す図
【図２２】実施の形態１にかかる空調システムの制御シーケンスの一例を示す図
【図２３】実施の形態１にかかる空調システムの制御シーケンスの一例を示す図
【図２４】駆動制御装置の制御動作の一例を示すフローチャート
【図２５】駆動制御装置の外気低温時の間欠運転制御の一例を示すフローチャート
【図２６】駆動制御装置の室内ＣＯ２濃度低下時の間欠運転制御の一例を示すフローチャート
【図２７】集中コントローラーの制御動作の一例を示すフローチャート
【図２８】集中コントローラーの制御動作の一例を示すフローチャート
【図２９】実施の形態２にかかる空調システムの制御シーケンスの一例を示す図
【図３０】実施の形態２にかかる空調システムの制御シーケンスの一例を示す図
【図３１】実施の形態２にかかる空調システムの制御シーケンスの一例を示す図
【図３２】駆動制御装置の制御動作の一例を示すフローチャート
【図３３】実施の形態３にかかる空調システムの制御シーケンスの一例を示す図
【図３４】実施の形態３にかかる空調システムの制御シーケンスの一例を示す図
【図３５】実施の形態３にかかる空調システムの制御シーケンスの一例を示す図
【発明を実施するための形態】
【０００９】
以下に、本発明の実施の形態にかかる空調システムを図面に基づいて詳細に説明する。なお、この実施の形態によりこの発明が限定されるものではない。
【００１０】
実施の形態１．
図１は、本発明の実施の形態１にかかる空調システムを備えるビルの一例を示す模式図である。図１に示すビル１００は４階建であり、各階は南北に区分けされている。そして、区分けされた各領域には、リモートコントローラー通信用伝送路を介して個別リモートコントローラーが接続された空調装置が２台ずつ設置されている。また、すべての空調装置は、集中コントローラー通信用伝送路９０を介してすべての空調装置を集中管理する集中コントローラー９に接続されている。各空調装置は、必要に応じて間欠運転制御される。なお、間欠運転制御は、外気低温時又は外気高湿度時に空調装置を保護するために行われる制御である。
【００１１】
具体的には、１階の北側であるテナント１北には、リモートコントローラー通信用伝送路８０ａを介して個別リモートコントローラー８ａを接続した空調装置１１ａと、リモートコントローラー通信用伝送路８０ｂを介して個別リモートコントローラー８ｂを接続した空調装置１１ｂと、が設置されている。１階の南側であるテナント１南には、リモートコントローラー通信用伝送路８０ｃを介して個別リモートコントローラー８ｃを接続した空調装置１１ｃと、リモートコントローラー通信用伝送路８０ｄを介して個別リモートコントローラー８ｄを接続した空調装置１１ｄと、が設置されている。
【００１２】
また、２階の北側であるテナント２北には、リモートコントローラー通信用伝送路８０ｅを介して個別リモートコントローラー８ｅを接続した空調装置１１ｅと、リモートコントローラー通信用伝送路８０ｆを介して個別リモートコントローラー８ｆを接続した空調装置１１ｆと、が設置されている。２階の南側であるテナント２南には、リモートコントローラー通信用伝送路８０ｇを介して個別リモートコントローラー８ｇを接続した空調装置１１ｇと、リモートコントローラー通信用伝送路８０ｈを介して個別リモートコントローラー８ｈを接続した空調装置１１ｈと、が設置されている。
【００１３】
また、３階の北側であるテナント３北には、リモートコントローラー通信用伝送路８０ｉを介して個別リモートコントローラー８ｉを接続した空調装置１１ｉと、リモートコントローラー通信用伝送路８０ｊを介して個別リモートコントローラー８ｊを接続した空調装置１１ｊと、が設置されている。３階の南側であるテナント３南には、リモートコントローラー通信用伝送路８０ｋを介して個別リモートコントローラー８ｋを接続した空調装置１１ｋと、リモートコントローラー通信用伝送路８０ｍを介して個別リモートコントローラー８ｍを接続した空調装置１１ｍと、が設置されている。
【００１４】
また、４階の北側であるテナント４北には、リモートコントローラー通信用伝送路８０ｎを介して個別リモートコントローラー８ｎを接続した空調装置１１ｎと、リモートコントローラー通信用伝送路８０ｐを介して個別リモートコントローラー８ｐを接続した空調装置１１ｐと、が設置されている。４階の南側であるテナント４南には、リモートコントローラー通信用伝送路８０ｒを介して個別リモートコントローラー８ｒを接続した空調装置１１ｒと、リモートコントローラー通信用伝送路８０ｓを介して個別リモートコントローラー８ｓを接続した空調装置１１ｓと、が設置されている。
【００１５】
なお、これらのリモートコントローラー通信用伝送路８０ａ，８０ｂ，８０ｃ，８０ｄ，８０ｅ，８０ｆ，８０ｇ，８０ｈ，８０ｉ，８０ｊ，８０ｋ，８０ｍ，８０ｎ，８０ｐ，８０ｒ，８０ｓを区別する必要がない場合には、これらを総称してリモートコントローラー通信用伝送路８０と記載する。また、個別リモートコントローラー８ａ，８ｂ，８ｃ，８ｄ，８ｅ，８ｆ，８ｇ，８ｈ，８ｉ，８ｊ，８ｋ，８ｍ，８ｎ，８ｐ，８ｒ，８ｓを区別する必要がない場合には、これらを総称して個別リモートコントローラー８と記載する。また、空調装置１１ａ，１１ｂ，１１ｃ，１１ｄ，１１ｅ，１１ｆ，１１ｇ，１１ｈ，１１ｉ，１１ｊ，１１ｋ，１１ｍ，１１ｎ，１１ｐ，１１ｒ，１１ｓを区別する必要がない場合には、これらを総称して空調装置１１と記載する。
【００１６】
なお、リモートコントローラー通信用伝送路８０及び集中コントローラー通信用伝送路９０は、有線であってもよく、無線であってもよく、又は有線と無線とが混在していてもよい。
【００１７】
集中コントローラー９は、空調装置１１のすべての運転状態情報を受信し、空調装置１１のすべてに運転操作情報を送信する。運転状態情報は、空調装置１１の運転状態を示す情報であり、風量情報及び検知温湿度情報を含む。運転操作情報は、集中コントローラー９における操作内容を示す情報であり、オンオフ操作を示す運転のオンオフ操作情報及び設定した風量レベルを示す設定風量情報を含む。又は、運転操作情報は、設定した温度を示す設定温度情報を含んでいてもよい。
【００１８】
なお、図１においては、空調装置１１を各階に４台ずつ設置しているが、本発明はこれに限定されず、空調装置１１の設置台数及び設置位置は適宜決定されるものである。
【００１９】
図２は、本発明の実施の形態１にかかる空調システムに含まれる空調装置の内部構成の一例を示す図である。図２に示す空調装置１１は、筐体１２、室外側吐出口１３、室外側吸込口１５、室内側吸込口１７、室内側吐出口１９、駆動制御装置２０、熱交換器２１、給気用送風機２４、排気用送風機２５、室外温湿度センサー２６及びＣＯ２濃度センサー２７を備える。筐体１２の内部には、給気風路５１及び排気風路５３が形成され、給気風路５１及び排気風路５３は、熱交換器２１にて交差する。また、駆動制御装置２０には、リモートコントローラー通信用伝送路８０を介して、個別リモートコントローラー８が接続されている。
【００２０】
給気用送風機２４は、給気風路５１の室内側吐出口１９側に配置され、シロッコファンであるファン本体と、このファン本体を駆動するファンモーターとを備える。このファンモーターは、その回転数を段階的に切り換え可能とするために、ファン本体の回転速度を調整する回転数切換機構を有する。回転数切換機構の切換段数の一例は、「強」「中」「弱」の３段階であり、「強」運転では４００ｍ３／ｈとし、「中」運転では２００ｍ３／ｈとし、「弱」運転では１００ｍ３／ｈとする。給気用送風機２４は、ファン本体を駆動させることで、室外から取り込んだ空気を室内へ吐出させる負圧を生じる。この結果、給気風路５１に沿って空気の流れが生じる。
【００２１】
排気用送風機２５は、排気風路５３の室外側吐出口１３側に配置され、シロッコファンであるファン本体と、このファン本体を駆動するファンモーターとを備える。このファンモーターは、給気用送風機２４のファンモーターと同様である。排気用送風機２５は、ファン本体を駆動させることで、室内から取り込んだ空気を室外へ吐出させる負圧を生じる。この結果、排気風路５３に沿って空気の流れが生じる。
【００２２】
熱交換器２１は、給気用送風機２４の駆動により外部から取り込まれた給気風路５１の室外空気と、排気用送風機２５の駆動により室内から取り込まれた排気風路５３の室内空気とを熱交換する。このとき、熱交換器２１では、室外空気と、室内空気との間で、一方から他方へ互いに熱と水分とが移動する。すなわち、熱交換器２１では、湿り空気間のエンタルピ交換がなされる。
【００２３】
室外温湿度センサー２６は、給気風路５１の室外側吸込口１５側に設けられ、室外側吸込口１５から取り込まれた室外空気の温度を検知する。ＣＯ２濃度センサー２７は、排気風路５３の室内側吸込口１７側に設けられ、室内側吸込口１７から取り込まれた室内空気のＣＯ２濃度を検知する。
【００２４】
駆動制御装置２０は、空調装置１１の動作を制御し、個別リモートコントローラー８及び集中コントローラー９と各種信号を送受信し、個別リモートコントローラー８に電力供給を行う。
【００２５】
筐体１２は、空調装置１１の外郭である。室外側吐出口１３は、筐体１２に取り付けられ、空気を室外に吐き出すダクト接続フランジを形成している。室外側吸込口１５は、筐体１２に取り付けられ、空気を室外から吸い込むダクト接続フランジを形成している。室内側吸込口１７は、筐体１２に取り付けられ、空気を室内から吸い込むダクト接続フランジを形成している。室内側吐出口１９は、筐体１２に取り付けられ、空気を室内へ吐き出すダクト接続フランジを形成している。
【００２６】
個別リモートコントローラー８は、空調装置１１の運転を開始又は停止する運転信号と、ファン本体の回転速度を設定する回転速度信号とを駆動制御装置２０に送信する。運転信号はオンオフ操作情報に基づいて生成され、回転速度信号は設定風量情報に基づいて生成される。
【００２７】
上記説明したように、空調装置１１は、室内空気と室外空気とを熱交換することで換気対象空間である室内の空調負荷を軽減することができ、消費電力を抑えることができる。
【００２８】
図３は、本発明の実施の形態１にかかる空調システムに含まれる空調装置を制御する駆動制御装置の内部構成の一例を示すブロック図である。図３に示す駆動制御装置２０は、商用電源である交流電源３１に接続された電源回路３２と、制御部であるマイクロコンピューター３３と、給気用送風機２４に接続された給気用送風機駆動回路３４と、排気用送風機２５に接続された排気用送風機駆動回路３５と、室外温湿度センサー２６に接続された室外温湿度センサー検知回路３６と、ＣＯ２濃度センサー２７に接続されたＣＯ２濃度センサー検知回路３７と、個別リモートコントローラー８に接続されたリモートコントローラー通信回路３８と、集中コントローラー９に接続された集中コントローラー通信回路３９とを備える。電源回路３２は、マイクロコンピューター３３、給気用送風機駆動回路３４、排気用送風機駆動回路３５、室外温湿度センサー検知回路３６、ＣＯ２濃度センサー検知回路３７、リモートコントローラー通信回路３８及び集中コントローラー通信回路３９を駆動する電源を生成して供給する。なお、電源を供給する線は図示しない。マイクロコンピューター３３は、給気用送風機駆動回路３４、排気用送風機駆動回路３５、室外温湿度センサー検知回路３６、ＣＯ２濃度センサー検知回路３７、リモートコントローラー通信回路３８及び集中コントローラー通信回路３９に接続されている。マイクロコンピューター３３は、個別リモートコントローラー８で操作された内容に基づく運転信号及び回転速度信号を、リモートコントローラー通信用伝送路８０及びリモートコントローラー通信回路３８を介して受信し、個別リモートコントローラー８における操作内容を判定する。また、マイクロコンピューター３３は、集中コントローラー９で操作された内容に基づく運転操作情報を、集中コントローラー通信用伝送路９０及び集中コントローラー通信回路３９を介して受信することで、集中コントローラー９における操作内容を判定する。また、マイクロコンピューター３３は、室外温湿度センサー２６からの信号を、室外温湿度センサー検知回路３６を介して受信することで、室外温湿度を検知する。また、マイクロコンピューター３３は、ＣＯ２濃度センサー２７からの信号を、ＣＯ２濃度センサー検知回路３７を介して受信することで、室内ＣＯ２濃度を検知する。そして、マイクロコンピューター３３は、個別リモートコントローラー８から受信した運転信号及び回転速度信号、集中コントローラー９から受信した運転操作情報、室外温湿度センサー２６から受信した室外温湿度検知値及びＣＯ２濃度センサー２７から受信したＣＯ２濃度検知値に基づいて、給気用送風機駆動回路３４への駆動指令信号と、排気用送風機駆動回路３５への駆動指令信号とを生成して送信する。
【００２９】
なお、個別リモートコントローラー８と駆動制御装置２０との通信方式と、集中コントローラー９と駆動制御装置２０との通信方式とが同じであれば、リモートコントローラー通信回路３８が集中コントローラー通信回路３９を兼ねていてもよい。すなわち、リモートコントローラー通信回路３８と集中コントローラー通信回路３９とが一体形成されていてもよい。このような構成とすると、駆動制御装置２０を小型化可能となる。
【００３０】
なお、室外温湿度センサー２６は、温度と湿度の双方を検知可能な一体型センサーとしているが、本発明はこれに限定されず、温度センサーと湿度センサーとが別々に設けられていてもよい。温度センサーと湿度センサーとが別々に設けられる場合には、室外温湿度センサー検知回路３６の構成もこれと整合するように適宜変更する。
【００３１】
図４は、駆動制御装置２０の制御動作の一例を示すフローチャートである。図４に示す制御動作では、給気用送風機２４に対して間欠運転制御を行っており、排気用送風機２５の動作については説明を省略する。排気用送風機２５の動作について、給気用送風機２４を常時停止又は間欠運転する際には、排気用送風機２５の動作設定を常時運転としてもよいし、給気用送風機２４に連動させて常時停止又は間欠運転としてもよい。
【００３２】
排気用送風機２５を常時運転とする場合には、給気口から自然に空気を導入して排気ファンで排気することができ、第三種換気による継続的な換気が可能である。又は、給気用送風機２４の停止に連動して排気用送風機２５を停止とする場合には、排気量と給気量のバランスが確保される。そのため、換気対象空間である室内における、換気に起因したドアの開閉の不具合を防止することが可能である。なお、排気用送風機２５の動作設定は、個別リモートコントローラー８又は集中コントローラー９から操作可能としてもよい。
【００３３】
図４において、駆動制御装置２０が個別リモートコントローラー８からの運転信号又は集中コントローラー９からの運転操作情報を受信すると、制御フローが開始する。制御フローが開始すると、駆動制御装置２０は、給気用送風機２４を一定時間運転する（Ｓ４１）。ここでは、一定時間として３分を例示している。なお、Ｓ４１は、室外温湿度センサー２６の室外温湿度検知値の安定のために行う動作であり、設置環境によってこの一定時間は調整される。従って、室外温湿度検知値が待ち時間なく安定するのであれば、一定時間を０としてもよい。次に、駆動制御装置２０は、室外温湿度センサー２６の室外温湿度検知値である検知温度Ｔｏａが第１の規定温度Ｔ１℃未満であるか否か判定する（Ｓ４２）。検知温度Ｔｏａが第１の規定温度Ｔ１℃未満である場合（Ｓ４２：Ｙｅｓ）には、図４の端子Ａから図５のＳ４０１へ進み、検知温度Ｔｏａが第１の規定温度Ｔ１℃未満でない場合（Ｓ４２：Ｎｏ）には、Ｓ４３へ進む。
【００３４】
Ｓ４２でＮｏに分岐すると、駆動制御装置２０は、室外温湿度センサー２６の室外温湿度検知値である検知湿度Ｈｏａが第１の規定湿度Ｈ１％以上であるか否かを判定する（Ｓ４３）。検知湿度Ｈｏａが第１の規定湿度Ｈ１％以上である場合（Ｓ４３：Ｙｅｓ）には図４の端子Ｂから図６のＳ４２１へ進み、検知湿度Ｈｏａが第１の規定湿度Ｈ１％以上でない、すなわち第１の規定湿度Ｈ１％未満である場合（Ｓ４３：Ｎｏ）にはＳ４４へ進む。
【００３５】
Ｓ４３でＮｏに分岐すると、駆動制御装置２０は、間欠運転制御状態を終了とし（Ｓ４４）、集中コントローラー９に間欠運転制御状態情報を送信し（Ｓ４５）、給気用送風機２４を常時運転とし（Ｓ４６）、ステップＳ４２へ戻る。
【００３６】
図５は、駆動制御装置２０の外気低温時の間欠運転制御の一例を示すフローチャートである。なお、図５に示すＳ４０１からＳ４０９までは、低温外気の吸込みにより空調装置１１内部、特に給気風路５１における結露を防止するために行う。外気低温時の間欠運転制御を開始すると、駆動制御装置２０は、間欠運転制御状態を「実施中」とし（Ｓ４０１）、集中コントローラー９へ間欠運転制御状態情報を送信し（Ｓ４０２）、集中コントローラー９から送信されるセンシング停止指令がオンであるか否かを判定する（Ｓ４０３）。ここで、センシング停止指令がオンである場合（Ｓ４０３：Ｙｅｓ）には、空調システム内のセンシング運転を他の空調装置１１が代表して行っていることを意味し、センシング停止指令がオンでない、すなわちオフである場合（Ｓ４０３：Ｎｏ）には、空調システム内のセンシング運転を、この駆動制御装置２０を備える空調装置１１が代表して行っていることを意味する。
【００３７】
センシング停止指令がオンである場合（Ｓ４０３：Ｙｅｓ）には、給気用送風機２４は常時停止とされ（Ｓ４０４）、Ｓ４０３に戻る。すなわち、空調システム内の他の空調装置１１にセンシングを委ね、この駆動制御装置２０を備える空調装置１１は外気低温時の間欠運転制御を行わず、集中コントローラー９からのセンシング停止指令がオフになるのを待つ。センシング停止指令がオフである場合（Ｓ４０３：Ｎｏ）には、駆動制御装置２０は、集中コントローラー９から送信されるセンシング停止指令のオンオフ変化の有無を判定する（Ｓ４０５）。センシング停止指令のオンオフ変化ありの場合（Ｓ４０５：Ｙｅｓ）には、空調システム内の他の空調装置１１において間欠運転制御が終了し、空調システム全体で間欠運転制御状態が解除されたことを意味する。一方、センシング停止指令のオンオフ変化なしの場合（Ｓ４０５：Ｎｏ）には、センシング停止指令がオフ状態を継続していれば、この駆動制御装置２０を備える空調装置１１が、空調システム内で最初に間欠運転制御を開始することを意味する。
【００３８】
センシング停止指令のオンオフ変化なしの場合（Ｓ４０５：Ｎｏ）には、空調装置１１は給気用送風機２４をＴａ分間だけ停止させ、Ｔｂ分間だけ運転する間欠運転制御を行い（Ｓ４０６）、間欠運転制御が終了したか否か判定する（Ｓ４０７）。ここで、Ｔｂ分間の運転は、室外温度を検知するセンシング運転である。
【００３９】
なお、ここでは、Ｔ１＝−１０℃、Ｔａ＝６０分、Ｔｂ＝３分とするが、本発明はこれに限定されるものではない。間欠運転制御が終了していない場合（Ｓ４０７：Ｎｏ）には、Ｓ４０３へ戻る。間欠運転制御が終了している場合（Ｓ４０７：Ｙｅｓ）には、Ｓ４２へ戻る。
【００４０】
センシング停止指令のオンオフ変化ありの場合（Ｓ４０５：Ｙｅｓ）には、間欠運転制御状態は終了とし（Ｓ４０８）、給気用送風機２４をＴｂ分間運転する（Ｓ４０９）。なお、Ｓ４０９は、室外温湿度センサー２６の室外温湿度検知値の安定が目的であり、設置環境によってこの一定時間は調整される。従って、室外温湿度検知値が待ち時間なく安定するのであれば、一定時間を０としてもよい。
【００４１】
図６は、駆動制御装置２０の外気高湿度時の間欠運転制御の一例を示すフローチャートである。なお、図６に示すＳ４２１からＳ４２９までは、高湿度外気の吸込みにより空調装置１１内部、特に給気風路５１における結露を防止するために行う。外気高湿度時の間欠運転制御を開始すると、駆動制御装置２０は、間欠運転制御状態を「実施中」とし（Ｓ４２１）、集中コントローラー９へ間欠運転制御状態情報を送信し（Ｓ４２２）、集中コントローラー９から送信されるセンシング停止指令がオンであるか否かを判定する（Ｓ４２３）。ここで、センシング停止指令がオンである場合（Ｓ４２３：Ｙｅｓ）には、空調システム内のセンシング運転を他の空調装置１１が代表して行っていることを意味し、センシング停止指令がオンでない、すなわちオフである場合（Ｓ４２３：Ｎｏ）には、空調システム内のセンシング運転を、この駆動制御装置２０を備える空調装置１１が代表して行っていることを意味する。
【００４２】
センシング停止指令がオンである場合（Ｓ４２３：Ｙｅｓ）には、給気用送風機２４を常時停止とし（Ｓ４２４）、Ｓ４２３に戻る。すなわち、空調システム内の他の空調装置１１にセンシングを委ね、この駆動制御装置２０を備える空調装置１１は外気高湿度時の間欠運転制御を行わず、集中コントローラー９からのセンシング停止指令がオフになるのを待つ。センシング停止指令がオフである場合（Ｓ４２３：Ｎｏ）には、駆動制御装置２０は、集中コントローラー９から送信されるセンシング停止指令のオンオフ変化の有無を判定する（Ｓ４２５）。センシング停止指令のオンオフ変化ありの場合（Ｓ４２５：Ｙｅｓ）には、空調システム内の他の空調装置１１において間欠運転制御が終了し、空調システム全体で間欠運転制御状態が解除されたことを意味し、センシング停止指令のオンオフ変化なしの場合（Ｓ４２５：Ｎｏ）には、センシング停止指令がオフ状態を継続していれば、この駆動制御装置２０を備える空調装置１１が、空調システム内で最初に間欠運転制御を開始することを意味する。
【００４３】
センシング停止指令のオンオフ変化なしの場合（Ｓ４２５：Ｎｏ）には、給気用送風機２４をＴｃ分間だけ停止させ、Ｔｄ分間だけ運転させる間欠運転制御を行い（Ｓ４２６）、間欠運転制御が終了したか否か判定する（Ｓ４２７）。ここで、Ｔｄ分間の運転は、室外湿度を検知するセンシング運転である。
【００４４】
なお、ここでは、Ｈ１＝９０％、Ｔｃ＝８０分、Ｔｄ＝３分とするが、本発明はこれに限定されるものではない。間欠運転制御が終了していない場合（Ｓ４２７：Ｎｏ）には、Ｓ４２３へ戻る。間欠運転制御が終了している場合（Ｓ４２７：Ｙｅｓ）には、Ｓ４２へ戻る。
【００４５】
センシング停止指令のオンオフ変化ありの場合（Ｓ４２５：Ｙｅｓ）には、間欠運転制御状態は終了とし（Ｓ４２８）、給気用送風機２４をＴｄ分間運転する（Ｓ４２９）。なお、Ｓ４２９は、室外温湿度センサー２６の室外温湿度検知値の安定が目的であり、設置環境によってこの一定時間は調整され、室外温湿度検知値が待ち時間なく安定するのであれば、一定時間を０としてもよい。
【００４６】
図７は、集中コントローラー９の制御動作の一例を示すフローチャートである。図７において、集中コントローラー９の電源がオンされると、集中コントローラー９は、代表センシング装置を「なし」として初期化する（Ｓ５０１）。次に、集中コントローラー９は、代表センシング装置ではない空調装置１１から間欠運転制御状態が「実施中」との通知があるか否か判定する（Ｓ５０２）。この間欠運転制御状態が「実施中」との通知は、Ｓ４０２又はＳ４２２にて送信されたものである。間欠運転制御状態が「実施中」との通知がある場合（Ｓ５０２：Ｙｅｓ）には、集中コントローラー９は、代表センシング装置があるか否か判定する（Ｓ５０３）。代表センシング装置がある場合（Ｓ５０３：Ｙｅｓ）には、集中コントローラー９は、センシング停止指令をオンする送信を行い、すなわちセンシングを停止する指令を代表センシング装置に送信し（Ｓ５０４）、代表センシング装置がＳ５０２で通知した装置となるよう更新する（Ｓ５０５）。
【００４７】
なお、間欠運転制御状態が「実施中」である空調装置１１が増えることは、センシング停止指令がオンであることを送信する空調装置１１が増えること、及び代表センシング装置が間欠運転制御状態を終了とする場合に集中コントローラー９からセンシング停止指令がオフであることを通知する空調装置１１が増えることを意味する。
【００４８】
また、代表センシング装置がない場合（Ｓ５０３：Ｎｏ）には、集中コントローラー９は、センシング停止指令を送信することなく代表センシング装置がＳ５０２で通知した装置となるよう更新する（Ｓ５０５）。
【００４９】
すなわち、集中コントローラー９は、代表センシング装置が、最後に間欠運転制御を開始した空調装置１１となるよう設定する。これにより、先に間欠運転制御を行っていた空調装置１１に対してセンシング運転を開始させず、不要なセンシング運転の回避により消費電力を抑えることができる。
【００５０】
間欠運転制御状態が「実施中」との通知がない場合（Ｓ５０２：Ｎｏ）にも、集中コントローラー９は、代表センシング装置があるか否か判定する（Ｓ５０６）。代表センシング装置がある場合（Ｓ５０６：Ｙｅｓ）には、集中コントローラー９は、代表センシング装置である空調装置１１から間欠運転制御状態が終了したとの通知がなされたか否か判定する（Ｓ５０７）。代表センシング装置である空調装置１１から間欠運転制御状態が終了したとの通知がある場合（Ｓ５０７：Ｙｅｓ）には、センシング停止指令オンを送信したすべての空調装置１１に対してセンシング停止指令をオフするよう送信し（Ｓ５０８）、Ｓ５０１へ戻る。また、代表センシング装置がない場合（Ｓ５０６：Ｎｏ）又は代表センシング装置である空調装置１１から間欠運転制御状態が終了したとの通知がない場合（Ｓ５０７：Ｎｏ）には、Ｓ５０２へ戻る。
【００５１】
図８，９，１０は、本発明の実施の形態１にかかる空調システムの制御シーケンスの一例を示す図である。図８，９，１０には、空調装置１１ａ，１１ｂ，１１ｒ，１１ｓが外気低温時の間欠運転制御を行う際の集中コントローラー９と空調装置１１ａ，１１ｂ，１１ｒ，１１ｓとの間の制御シーケンスを示している。図８，９，１０において、図８のＡ１，Ｂ１，Ｃ１，Ｄ１，Ｅ１は各々図９のＡ１，Ｂ１，Ｃ１，Ｄ１，Ｅ１に続き、図９のＡ２，Ｂ２，Ｃ２，Ｄ２，Ｅ２は各々図１０のＡ２，Ｂ２，Ｃ２，Ｄ２，Ｅ２に続く。
【００５２】
なお、図８，９，１０においては、図４から７に示す各ステップについて、空調装置１１ａにおけるステップではＳ４０１ａのようにステップ番号に符号ａを付し、空調装置１１ｂにおけるステップではＳ４０１ｂのようにステップ番号に符号ｂを付し、空調装置１１ｒにおけるステップではＳ４０１ｒのようにステップ番号に符号ｒを付し、空調装置１１ｓにおけるステップではＳ４０１ｓのようにステップ番号に符号ｓを付する。なお、以下の説明において、制御シーケンスについては同様に符号を付するものとする。
【００５３】
なお、図８，９，１０における制御シーケンスは、空調システム内で複数台の空調装置１１が外気低温時の間欠運転制御を行う場合に、最後に外気低温時の間欠運転制御を開始した空調装置１１が代表センシング装置となり、この代表センシング装置が間欠運転制御を終了するまでは、間欠運転制御状態が「実施中」である他の空調装置１１が給気用送風機２４を常時停止とする状態を維持し、センシング運転を行わないことを示している。なお、ここでは、最後に外気低温時の間欠運転制御を開始した空調装置１１は、空調装置１１ｓである。
【００５４】
図１１，１２，１３は、本発明の実施の形態１にかかる空調システムの制御シーケンスの一例を示す図である。図１１，１２，１３には、空調装置１１ａ，１１ｂ，１１ｒ，１１ｓが外気高湿度時の間欠運転制御を行う際の集中コントローラー９と空調装置１１ａ，１１ｂ，１１ｒ，１１ｓとの間の制御シーケンスを示している。図１１，１２，１３において、図１１のＡ１１，Ｂ１１，Ｃ１１，Ｄ１１，Ｅ１１は各々図１２のＡ１１，Ｂ１１，Ｃ１１，Ｄ１１，Ｅ１１に続き、図１２のＡ１２，Ｂ１２，Ｃ１２，Ｄ１２，Ｅ１２は各々図１３のＡ１２，Ｂ１２，Ｃ１２，Ｄ１２，Ｅ１２に続く。
【００５５】
なお、図１１，１２，１３における制御シーケンスは、空調システム内で複数台の空調装置１１が外気高湿度時の間欠運転制御を行う場合に、最後に外気高湿度時の間欠運転制御を開始した空調装置１１が代表センシング装置となり、この代表センシング装置が間欠運転制御を終了するまでは、間欠運転制御状態が「実施中」である他の空調装置１１が給気用送風機２４を常時停止とする状態を維持し、センシング運転を行わないことを示している。なお、ここでは、最後に外気高湿度時の間欠運転制御を開始した空調装置１１は、空調装置１１ｓである。
【００５６】
図１４，１５，１６は、本発明の実施の形態１にかかる空調システムの制御シーケンスの一例を示す図である。図１４，１５，１６には、空調装置１１ａ，１１ｂ，１１ｒ，１１ｓが外気低温時の間欠運転制御を行う際の集中コントローラー９と空調装置１１ａ，１１ｂ，１１ｒ，１１ｓとの間の制御シーケンスを示している。図１４，１５，１６において、図１４のＡ２１，Ｂ２１，Ｃ２１，Ｄ２１，Ｅ２１は各々図１５のＡ２１，Ｂ２１，Ｃ２１，Ｄ２１，Ｅ２１に続き、図１５のＡ２２，Ｂ２２，Ｃ２２，Ｄ２２，Ｅ２２は各々図１６のＡ２２，Ｂ２２，Ｃ２２，Ｄ２２，Ｅ２２に続く。図１４，１５，１６と図８，９，１０との違いは、集中コントローラー９が代表センシング装置をビル全体ではなく、階毎に管理している点である。室外温湿度はフロアーの高低又はビルの周りの環境によって異なる場合もある。そのため、階毎に管理することで、間欠運転制御を終了可能な階において、不要な間欠運転制御を解除できない状況を回避することができる。
【００５７】
なお、図１４，１５，１６における制御シーケンスは、空調システム内で複数台の空調装置１１が外気低温時の間欠運転制御を行う場合に、階毎に、最後に外気低温時の間欠運転制御を開始した空調装置１１が代表センシング装置となり、この代表センシング装置が間欠運転制御を終了するまでは、間欠運転制御状態が「実施中」である他の空調装置１１が給気用送風機２４を常時停止とする状態を維持し、センシング運転を行わないことを示している。なお、ここでは、最後に外気低温時の間欠運転制御を開始した空調装置１１は、空調装置１１ｂ，空調装置１１ｓであり、他の空調装置１１は、空調装置１１ａ，１１ｒである。
【００５８】
図１７，１８，１９は、本発明の実施の形態１にかかる空調システムの制御シーケンスの一例を示す図である。図１７，１８，１９には、空調装置１１ａ，１１ｂ，１１ｃ，１１ｄが外気低温時の間欠運転制御を行う際の集中コントローラー９と空調装置１１ａ，１１ｂ，１１ｃ，１１ｄとの間の制御シーケンスを示している。図１７，１８，１９において、図１７のＡ３１，Ｂ３１，Ｃ３１，Ｄ３１，Ｅ３１は各々図１８のＡ３１，Ｂ３１，Ｃ３１，Ｄ３１，Ｅ３１に続き、図１８のＡ３２，Ｂ３２，Ｃ３２，Ｄ３２，Ｅ３２は各々図１９のＡ３２，Ｂ３２，Ｃ３２，Ｄ３２，Ｅ３２に続く。図１７，１８，１９と図８，９，１０との違いは、集中コントローラー９が代表センシング装置をビル全体ではなく、テナント毎に管理している点である。室外温湿度検知値は室外から空調装置までのダクト長で異なることがあり、室外温湿度検知値はテナントごとに異なることもある。そのため、代表センシング装置をテナント単位で管理することで、間欠運転制御を終了可能なテナントにおいて間欠運転制御を解除できない状況を回避することができる。
【００５９】
なお、室内ＣＯ２濃度低下時の間欠運転制御を行う場合のように、室内の環境情報をセンシングする場合には、室内空間毎、すなわちテナント単位での管理が好ましい。なお、ここで、室内の環境情報は、室内温度、室内湿度及び室内ガス濃度を含む。
【００６０】
なお、図１７，１８，１９における制御シーケンスは、空調システム内で複数台の空調装置１１が外気低温時の間欠運転制御を行う場合に、テナント毎に、最後に外気低温時の間欠運転制御を開始した空調装置１１が代表センシング装置となり、この代表センシング装置が間欠運転制御を終了するまでは、間欠運転制御状態が「実施中」である他の空調装置１１が給気用送風機を常時停止とする状態を維持し、センシング運転を行わないことを示している。なお、ここでは、最後に外気低温時の間欠運転制御を開始した空調装置１１は、空調装置１１ｂ，空調装置１１ｄであり、他の空調装置１１は、空調装置１１ａ，１１ｃである。
【００６１】
以上説明した本実施の形態１においては、ビル建物全体、階毎又はテナント毎に代表センシング装置を管理しているが、本発明はこれに限定されるものではない。ビル建物の北側と南側とに分けて管理してもよいし、インテリアゾーンとペリメータゾーンとに分けて管理してもよい。すなわち、集中コントローラー９は、管理している複数台の空調装置１１を複数のグループに分割してグループ毎に管理し、分割されたグループ内で複数台の空調装置１１が間欠運転を行う際には、グループ内において代表センシング装置を設定し、グループ内の代表センシング装置以外の空調装置１１は、間欠運転制御におけるセンシング運転を行わないように制御されてもよい。
【００６２】
図２０は、本発明の実施の形態１にかかる空調システムを備えるビルの他の一例を示す模式図である。図２０に示すビル１００ａは、図１に示すビル１００から、個別リモートコントローラー８ｂ，８ｄ，８ｆ，８ｈ，８ｊ，８ｍ，８ｐ，８ｓと、リモートコントローラー通信用伝送路８０ｂ，８０ｄ，８０ｆ，８０ｈ，８０ｊ，８０ｍ，８０ｐ，８０ｓと、集中コントローラー９と、集中コントローラー通信用伝送路９０と、を除いた構成である。
【００６３】
具体的には、１階の北側であるテナント１北には、リモートコントローラー通信用伝送路８０ａを介して個別リモートコントローラー８ａを接続した空調装置１１ａ，１１ｂが設置されている。１階の南側であるテナント１南には、リモートコントローラー通信用伝送路８０ｃを介して個別リモートコントローラー８ｃを接続した空調装置１１ｃ，１１ｄが設置されている。また、２階の北側であるテナント２北には、リモートコントローラー通信用伝送路８０ｅを介して個別リモートコントローラー８ｅを接続した空調装置１１ｅ，１１ｆが設置されている。２階の南側であるテナント２南には、リモートコントローラー通信用伝送路８０ｇを介して個別リモートコントローラー８ｇを接続した空調装置１１ｇ，１１ｈが設置されている。また、３階の北側であるテナント３北には、リモートコントローラー通信用伝送路８０ｉを介して個別リモートコントローラー８ｉを接続した空調装置１１ｉ，１１ｊが設置されている。３階の南側であるテナント３南には、リモートコントローラー通信用伝送路８０ｋを介して個別リモートコントローラー８ｋを接続した空調装置１１ｋ，１１ｍが設置されている。また、４階の北側であるテナント４北には、リモートコントローラー通信用伝送路８０ｎを介して個別リモートコントローラー８ｎを接続した空調装置１１ｎ，１１ｐが設置されている。４階の南側であるテナント４南には、リモートコントローラー通信用伝送路８０ｒを介して個別リモートコントローラー８ｒを接続した空調装置１１ｒ，１１ｓが設置されている。
【００６４】
図２１，２２，２３は、本発明の実施の形態１にかかる空調システムの制御シーケンスの一例を示す図である。図２１，２２，２３には、空調装置１１ａ，１１ｂ，１１ｃ，１１ｄが外気低温時の間欠運転制御を行う際の個別リモートコントローラー８ａ，８ｃと空調装置１１ａ，１１ｂ，１１ｃ，１１ｄとの間の制御シーケンスを示している。図２１，２２，２３において、図２１のＡ４１，Ｂ４１，Ｃ４１，Ｄ４１，Ｅ４１は各々図２２のＡ４１，Ｂ４１，Ｃ４１，Ｄ４１，Ｅ４１に続き、図２２のＡ４２，Ｂ４２，Ｃ４２，Ｄ４２，Ｅ４２は各々図２３のＡ４２，Ｂ４２，Ｃ４２，Ｄ４２，Ｅ４２に続く。ここで、図２１，２２，２３と図１７，１８，１９との違いは、テナント単位で代表センシング装置を判定するコントローラーが、集中コントローラー９ではなく個別リモートコントローラー８である点である。
【００６５】
なお、図２１，２２，２３における制御シーケンスは、空調システム内で複数台の空調装置１１が外気低温時の間欠運転制御を行う場合に、テナント単位で、最後に外気低温時の間欠運転制御を開始した空調装置１１が代表センシング装置となり、この代表センシング装置が間欠運転制御を終了するまでは、間欠運転制御状態が「実施中」である他の空調装置１１が給気用送風機を常時停止とする状態を維持し、センシング運転を行わないことを示している。なお、ここでは、最後に外気低温時の間欠運転制御を開始した空調装置１１は、空調装置１１ｂ，空調装置１１ｄであり、他の空調装置１１は、空調装置１１ａ，空調装置１１ｃである。これは、代表センシング装置を判定するコントローラーは、複数台の空調装置を管理可能なコントローラーであればよく、ビル全体を管理する集中コントローラー９に限定されないことを意味する。
【００６６】
以上説明した本実施の形態１にかかる空調システムは、複数台の空調装置を管理するコントローラーが、空調装置の間欠運転制御状態を管理し、複数台の空調装置が間欠運転制御を行っている場合には、間欠運転制御におけるセンシング運転を代表で行う代表センシング装置を決定し、代表センシング装置以外の空調装置は間欠運転制御におけるセンシング運転を行わないように制御される。このようにして、不要なセンシング運転を行わないため、消費電力を抑えることができる。
【００６７】
実施の形態２．
本実施の形態２では、実施の形態１における外気高湿度時の間欠運転制御に代えて室内ＣＯ２濃度低下時の間欠運転制御を行い、集中コントローラー９が代表センシング装置を間欠運転制御の種類に応じて管理する。
【００６８】
図２４は、駆動制御装置２０の制御動作の一例を示すフローチャートである。図２４に示す制御動作では、間欠運転制御を行っており、排気用送風機２５の動作については説明を省略する。なお、実施の形態１と同一機能及び同一構成については同一の符号を用いて説明を省略し、実施の形態１と同様に動作するものについては説明を省略し、援用するものとする。
【００６９】
図２４において、駆動制御装置２０が個別リモートコントローラー８からの運転信号又は集中コントローラー９からの運転操作情報を受信すると、制御フローが開始する。制御フローが開始すると、駆動制御装置２０は、給気用送風機２４を一定時間運転する（Ｓ４１）。ここでは一定時間は３分としている。次に、駆動制御装置２０は、室外温湿度センサー２６の室外温湿度検知値である検知温度Ｔｏａが第１の規定温度Ｔ１℃未満であるか否か判定する（Ｓ４２）。検知温度Ｔｏａが第１の規定温度Ｔ１℃未満である場合（Ｓ４２：Ｙｅｓ）には、図２４の端子Ｃから図２５のＳ１２０１へ進み、検知温度Ｔｏａが第１の規定温度Ｔ１℃未満でない場合（Ｓ４２：Ｎｏ）には、Ｓ１２３へ進む。
【００７０】
Ｓ４２でＮｏに分岐すると、駆動制御装置２０は、外気低温時の間欠運転制御状態を終了とし（Ｓ１２３）、集中コントローラー９に外気低温時の間欠運転制御状態情報を送信し（Ｓ１２４）、ＣＯ２濃度センサー２７の濃度検知値である検知濃度Ｃｏａが第１の規定濃度Ｃ１ｐｐｍ未満であるか否か判定する（Ｓ１２５）。検知濃度Ｃｏａが第１の規定濃度Ｃ１ｐｐｍ未満である場合（Ｓ１２５：Ｙｅｓ）には図２４の端子Ｄから図２６のＳ１２２１へ進み、検知濃度Ｃｏａが第１の規定濃度Ｃ１ｐｐｍ未満でない場合（Ｓ１２５：Ｎｏ）にはＳ１２６へ進む。
【００７１】
Ｓ１２５でＮｏに分岐すると、駆動制御装置２０は、ＣＯ２濃度低下時の間欠運転制御状態を終了とし（Ｓ１２６）、集中コントローラー９に間欠運転制御状態情報を送信し（Ｓ１２７）、給気用送風機２４を常時運転とし（Ｓ４６）、Ｓ４２へ戻る。
【００７２】
図２５は、駆動制御装置２０の外気低温時の間欠運転制御の一例を示すフローチャートである。外気低温時の間欠運転制御を開始すると、駆動制御装置２０は、外気低温時の間欠運転制御状態を「実施中」とし（Ｓ１２０１）、集中コントローラー９へ外気低温時の間欠運転制御状態情報を送信し（Ｓ１２０２）、室内ＣＯ２濃度低下時の間欠運転制御状態情報を終了とし（Ｓ１２０３）、集中コントローラー９へ室内ＣＯ２濃度低下時の間欠運転制御状態情報を送信し（Ｓ１２０４）、集中コントローラー９から送信される外気低温時のセンシング停止指令がオンであるか否かを判定する（Ｓ１２０５）。ここで、センシング停止指令がオンである場合（Ｓ１２０５：Ｙｅｓ）には、空調システム内のセンシング運転を他の空調装置１１が代表して行っていることを意味する。一方、センシング停止指令がオフである場合（Ｓ１２０５：Ｎｏ）には、空調システム内のセンシング運転を、この駆動制御装置２０を備える空調装置１１が代表して行っていることを意味する。
【００７３】
外気低温時のセンシング停止指令がオンである場合（Ｓ１２０５：Ｙｅｓ）には、給気用送風機２４は常時停止とされ（Ｓ４０４）、Ｓ１２０５に戻る。すなわち、空調システム内の他の空調装置１１に外気低温時のセンシングを委ね、この駆動制御装置２０を備える空調装置１１は外気低温時の間欠運転制御を行わず、集中コントローラー９からの外気低温時のセンシング停止指令がオフになるのを待つ。
【００７４】
外気低温時のセンシング停止指令がオフである場合（Ｓ１２０５：Ｎｏ）には、駆動制御装置２０は、集中コントローラー９から送信される外気低温時のセンシング停止指令のオンオフ変化の有無を判定する（Ｓ１２０６）。外気低温時のセンシング停止指令のオンオフ変化ありの場合（Ｓ１２０６：Ｙｅｓ）には、空調システム内の他の空調装置１１において、外気低温時の間欠運転制御が終了し、空調システム全体で外気低温時の間欠運転制御状態が解除されたことを意味する。一方、外気低温時のセンシング停止指令のオンオフ変化なしの場合（Ｓ１２０６：Ｎｏ）には、センシング停止指令がオフ状態を継続していれば、この駆動制御装置２０を備える空調装置１１が、空調システム内で最初に間欠運転制御を開始することを意味する。
【００７５】
外気低温時のセンシング停止指令のオンオフ変化なしの場合（Ｓ１２０６：Ｎｏ）には、給気用送風機２４をＴａ分間だけ停止させ、Ｔｂ分間だけ運転させる間欠運転制御を行い（Ｓ４０６）、外気低温時の間欠運転制御が終了したか否か判定する（Ｓ１２０７）。外気低温時の間欠運転制御が終了していない場合（Ｓ１２０７：Ｎｏ）には、Ｓ１２０５へ戻る。外気低温時の間欠運転制御が終了している場合（Ｓ１２０７：Ｙｅｓ）には、Ｓ４２へ戻る。
【００７６】
外気低温時のセンシング停止指令のオンオフ変化ありの場合（Ｓ１２０６：Ｙｅｓ）には、外気低温時の間欠運転制御状態は終了とし（Ｓ１２０８）、給気用送風機２４をＴｂ分間運転し（Ｓ４０９）、Ｓ４２へ戻る。
【００７７】
図２６は、駆動制御装置２０の室内ＣＯ２濃度低下時の間欠運転制御の一例を示すフローチャートである。なお、図２６に示すＳ１２２１からＳ１２２９までは、室内ＣＯ２濃度が低下したことにより換気不要と判断し、省エネ性を向上させるために行う動作である。駆動制御装置２０は、室内ＣＯ２濃度低下時の間欠運転制御状態を「実施中」とし（Ｓ１２２１）、集中コントローラー９へ室内ＣＯ２濃度低下時の間欠運転制御状態情報を送信し（Ｓ１２２２）、集中コントローラー９から送信される室内ＣＯ２濃度低下時のセンシング停止指令のオンオフを判定する（Ｓ１２２３）。ここで、センシング停止指令がオンである場合（Ｓ１２２３：Ｙｅｓ）には、空調システム内の室内ＣＯ２濃度低下時のセンシング運転を他の空調装置１１が代表して行っていることを意味する。一方、センシング停止指令がオフである場合（Ｓ１２２３：Ｎｏ）には、空調システム内の室内ＣＯ２濃度低下時のセンシング運転を、この駆動制御装置２０を備える空調装置１１が代表して行っていることを意味する。
【００７８】
室内ＣＯ２濃度低下時のセンシング停止指令がオンである場合（Ｓ１２２３：Ｙｅｓ）には、駆動制御装置２０は、給気用送風機２４を常時停止とし（Ｓ１２２４）、Ｓ１２２３に戻る。すなわち、空調システム内の他の空調装置１１に室内ＣＯ２濃度低下時のセンシングを委ね、この駆動制御装置２０を備える空調装置１１は室内ＣＯ２濃度低下時の間欠運転制御を行わず、集中コントローラー９からの室内ＣＯ２濃度低下時のセンシング停止指令がオフになるのを待つ。
【００７９】
室内ＣＯ２濃度低下時のセンシング停止指令がオフである場合（Ｓ１２２３：Ｎｏ）には、駆動制御装置２０は、集中コントローラー９から送信される室内ＣＯ２濃度低下時のセンシング停止指令のオンオフ変化の有無を判定する（Ｓ１２２５）。室内ＣＯ２濃度低下時のセンシング停止指令のオンオフ変化ありの場合（Ｓ１２２５：Ｙｅｓ）には、空調システム内の他の空調装置１１において、室内ＣＯ２濃度低下時の間欠運転制御が終了し、空調システム全体で室内ＣＯ２濃度低下時の間欠運転制御状態が解除されたことを意味する。一方、室内ＣＯ２濃度低下時のセンシング停止指令のオンオフ変化なしの場合（Ｓ１２２５：Ｎｏ）には、センシング停止指令がオフ状態を継続していれば、この駆動制御装置２０を備える空調装置１１が、空調システム内で最初に室内ＣＯ２濃度低下時の間欠運転制御を開始することを意味する。
【００８０】
室内ＣＯ２濃度低下時のセンシング停止指令のオンオフ変化ありの場合（Ｓ１２２５：Ｙｅｓ）には、室内ＣＯ２濃度低下時の間欠運転制御状態は終了とし（Ｓ１２２８）、給気用送風機２４をＴｆ分間運転する（Ｓ１２２９）。なお、Ｓ１２２９は、ＣＯ２濃度センサー２７の濃度検知値の安定が目的であり、設置環境によってこのＴｆ分間は調整され、濃度検知値が待ち時間なく安定するのであれば、Ｔｆ＝０としてもよい。
【００８１】
室内ＣＯ２濃度低下時のセンシング停止指令のオンオフ変化なしの場合（Ｓ１２２５：Ｎｏ）には、給気用送風機２４をＴｅ分間だけ停止させ、Ｔｆ分間だけ運転させる室内ＣＯ２濃度低下時の間欠運転制御を行い（Ｓ１２２６）、室内ＣＯ２濃度低下時の間欠運転制御が終了したか否か判定する（Ｓ１２２７）。ここで、Ｔｆ分間の運転は、室内ＣＯ２濃度を検知するセンシング運転である。
【００８２】
なお、ここでは、Ｃ１＝６００ｐｐｍ、Ｔｅ＝３０分、Ｔｆ＝５分とするが、本発明はこれに限定されるものではない。室内ＣＯ２濃度低下時の間欠運転制御が終了していない場合（Ｓ１２２７：Ｎｏ）には、Ｓ１２２３へ戻る。室内ＣＯ２濃度低下時の間欠運転制御が終了している場合（Ｓ１２２７：Ｙｅｓ）には、Ｓ４２へ戻る。
【００８３】
また、室内ＣＯ２濃度は、排気用送風機２５を運転することで検知することができる。そのため、排気用送風機２５は、給気用送風機２４の運転に連動させてもよいし、間欠運転としてもよい。
【００８４】
また、室内ＣＯ２濃度が急激に上昇した場合に即座に換気可能とするために、間欠運転時には給気用送風機２４を停止させず、Ｔｅ分間の停止に代えて弱運転を行い、Ｔｆ分間の運転に代えて強運転を行い、風量の強弱を周期的に変更するように制御してもよい。
【００８５】
図２７，２８は、集中コントローラー９の制御動作の一例を示すフローチャートである。図２７，２８において、集中コントローラー９の電源がオンされると、集中コントローラー９は、外気低温時の代表センシング装置を「なし」とし、室内ＣＯ２濃度低下時の代表センシング装置を「なし」として初期化する（Ｓ１３０１）。次に、集中コントローラー９は、外気低温時の代表センシング装置ではない空調装置１１から外気低温時の間欠運転制御状態が「実施中」との通知があるか否か判定する（Ｓ１３０２）。この外気低温時の間欠運転制御状態が「実施中」との通知は、Ｓ１２０２にて送信されたものである。外気低温時の間欠運転制御状態が「実施中」との通知がある場合（Ｓ１３０２：Ｙｅｓ）には、集中コントローラー９は、外気低温時の代表センシング装置があるか否か判定する（Ｓ１３０３）。外気低温時の代表センシング装置がある場合（Ｓ１３０３：Ｙｅｓ）には、集中コントローラー９は、外気低温時のセンシング停止指令をオンする送信を行い、すなわち外気低温時の代表センシング装置に外気低温時のセンシングを停止する指令を送信し（Ｓ１３０４）、外気低温時の代表センシング装置がＳ１３０２で通知した装置となるよう更新する（Ｓ１３０５）。外気低温時の代表センシング装置がない場合（Ｓ１３０３：Ｎｏ）には、集中コントローラー９は、センシング停止指令を送信することなく外気低温時の代表センシング装置がＳ１３０２で通知した装置となるよう更新する（Ｓ１３０５）。すなわち、集中コントローラー９は、外気低温時の代表センシング装置が、最後に外気低温時の間欠運転制御を開始した空調装置となるよう設定する。これにより、先に外気低温時の間欠運転制御を行っていた空調装置に対して外気低温時のセンシング運転を開始させず、不要なセンシング運転の回避により消費電力を抑えることができる。
【００８６】
なお、外気低温時の間欠運転制御状態が「実施中」である空調装置１１が増えることは、外気低温時のセンシング停止指令がオンであることを送信する空調装置１１が増えること、及び外気低温時の代表センシング装置が外気低温時の間欠運転制御を終了する場合に集中コントローラー９から外気低温時のセンシング停止指令がオフであることを通知する空調装置１１が増えることを意味する。
【００８７】
外気低温時の間欠運転制御状態が「実施中」との通知がない場合（Ｓ１３０２：Ｎｏ）にも、集中コントローラー９は、外気低温時の代表センシング装置があるか否か判定する（Ｓ１３０６）。外気低温時の代表センシング装置がある場合（Ｓ１３０６：Ｙｅｓ）には、集中コントローラー９は、外気低温時の代表センシング装置である空調装置１１から外気低温時の間欠運転制御状態情報が終了したとの通知がなされたか否か判定する（Ｓ１３０７）。外気低温時の代表センシング装置である空調装置１１から外気低温時の間欠運転制御状態情報が終了したとの通知がある場合（Ｓ１３０７：Ｙｅｓ）には、外気低温時のセンシング停止指令オンを送信したすべての空調装置１１に対して外気低温時のセンシング停止指令をオフするよう送信し（Ｓ１３０８）、外気低温時の代表センシング装置を「なし」として初期化する（Ｓ１３０９）。また、外気低温時の代表センシング装置がない場合（Ｓ１３０６：Ｎｏ）又は外気低温時の代表センシング装置である空調装置１１から外気低温時の間欠運転制御状態が終了したとの通知がない場合（Ｓ１３０７：Ｎｏ）にはＳ１３１２へ進む。なお、外気低温時の代表センシング装置がＳ１３０２で通知した装置となるよう更新し（Ｓ１３０５）、又は外気低温時の代表センシング装置を「なし」として初期化した（Ｓ１３０９）後も同様である。
【００８８】
次に、図２７の端子Ｅから図２８のＳ１３１２へと進み、集中コントローラー９は、室内ＣＯ２濃度低下時の代表センシング装置ではない空調装置１１から室内ＣＯ２濃度低下時の間欠運転制御状態が「実施中」との通知がなされたか否か判定する（Ｓ１３１２）。この室内ＣＯ２濃度低下時の間欠運転制御状態が「実施中」との通知は、Ｓ１２２２にて送信されたものである。室内ＣＯ２濃度低下時の間欠運転制御状態が「実施中」との通知があった場合（Ｓ１３１２：Ｙｅｓ）には、集中コントローラー９は、室内ＣＯ２濃度低下時の代表センシング装置があるか否か判定する（Ｓ１３１３）。室内ＣＯ２濃度低下時の代表センシング装置がある場合（Ｓ１３１３：Ｙｅｓ）には、集中コントローラー９は、室内ＣＯ２濃度低下時のセンシング停止指令をオンする送信を行い、室内ＣＯ２濃度低下時の代表センシング装置に室内ＣＯ２濃度低下時のセンシングを停止する指令を送信し（Ｓ１３１４）、室内ＣＯ２濃度低下時の代表センシング装置がＳ１３１２で通知した装置となるよう更新する（Ｓ１３１５）。室内ＣＯ２濃度低下時の代表センシング装置がない場合（Ｓ１３１３：Ｎｏ）には、集中コントローラー９は、センシング停止指令を送信することなく室内ＣＯ２濃度低下時の代表センシング装置がＳ１３１２で通知した装置となるよう更新する（Ｓ１３１５）。すなわち、集中コントローラー９は、室内ＣＯ２濃度低下時の代表センシング装置が、最後に室内ＣＯ２濃度低下時の間欠運転制御を開始した空調装置となるよう設定する。これにより、先に室内ＣＯ２濃度低下時の間欠運転制御を行っていた空調装置に対して室内ＣＯ２濃度低下時のセンシング運転を開始させず、不要なセンシング運転の回避により消費電力を抑えることができる。
【００８９】
なお、室内ＣＯ２濃度低下時の間欠運転制御状態が「実施中」である空調装置１１が増えることは、室内ＣＯ２濃度低下時のセンシング停止指令がオンであることを送信する空調装置１１が増えること、及び室内ＣＯ２濃度低下時の代表センシング装置が室内ＣＯ２濃度低下時の間欠運転制御を終了する場合に集中コントローラー９から室内ＣＯ２濃度低下時のセンシング停止指令がオフであることを通知する空調装置１１が増えることを意味する。
【００９０】
室内ＣＯ２濃度低下時の間欠運転制御状態が「実施中」との通知がない場合（Ｓ１３１２：Ｎｏ）にも、集中コントローラー９は、室内ＣＯ２濃度低下時の代表センシング装置があるか否か判定する（Ｓ１３１６）。室内ＣＯ２濃度低下時の代表センシング装置がある場合（Ｓ１３１６：Ｙｅｓ）には、集中コントローラー９は、室内ＣＯ２濃度低下時の代表センシング装置である空調装置１１から室内ＣＯ２濃度低下時の間欠運転制御状態が終了したとの通知がなされたか否か判定する（Ｓ１３１７）。室内ＣＯ２濃度低下時の代表センシング装置である空調装置１１から室内ＣＯ２濃度低下時の間欠運転制御状態が終了したとの通知がある場合（Ｓ１３１７：Ｙｅｓ）には、室内ＣＯ２濃度低下時のセンシング停止指令がオンであると送信したすべての空調装置１１に対して室内ＣＯ２濃度低下時のセンシング停止指令をオフする送信を行い、室内ＣＯ２濃度低下時のセンシング停止する指令を送信し（Ｓ１３１８）、室内ＣＯ２濃度低下時の代表センシング装置を「なし」として初期化する（Ｓ１３１９）。また、室内ＣＯ２濃度低下時の代表センシング装置がない場合（Ｓ１３１６：Ｎｏ）又は室内ＣＯ２濃度低下時の代表センシング装置である空調装置１１から室内ＣＯ２濃度低下時の間欠運転制御状態が終了したとの通知がない場合（Ｓ１３１７：Ｎｏ）には図２８の端子Ｆから図２７のＳ１３０２へ戻る。なお、室内ＣＯ２濃度低下時の代表センシング装置がＳ１３１２で通知した装置となるよう更新し（Ｓ１３１５）、又は室内ＣＯ２濃度低下時の代表センシング装置を「なし」として初期化した（Ｓ１３１９）後も同様である。
【００９１】
図２９，３０，３１は、本発明の実施の形態２にかかる空調システムの制御シーケンスの一例を示す図である。図２９，３０，３１には、空調装置１１ａ，１１ｂが外気低温時の間欠運転制御を行い、空調装置１１ｃ，１１ｄが室内ＣＯ２濃度低下時の間欠運転制御を行う際の集中コントローラー９と空調装置１１ａ，１１ｂ，１１ｃ，１１ｄとの間の制御シーケンスを示している。図２９，３０，３１において、図２９のＡ５１，Ｂ５１，Ｃ５１，Ｄ５１，Ｅ５１は各々図３０のＡ５１，Ｂ５１，Ｃ５１，Ｄ５１，Ｅ５１に続き、図３０のＡ５２，Ｂ５２，Ｃ５２，Ｄ５２，Ｅ５２は各々図３１のＡ５２，Ｂ５２，Ｃ５２，Ｄ５２，Ｅ５２に続く。
【００９２】
なお、図２９，３０，３１における制御シーケンスは、空調システム内で複数台の空調装置１１が外気低温時の間欠運転制御及び室内ＣＯ２濃度低下時の間欠運転制御を行う場合に、集中コントローラー９が外気低温時の代表センシング装置及び室内ＣＯ２濃度低下時の代表センシング装置を個別に管理し、最後に外気低温時の間欠運転制御を開始した空調装置１１ｂが外気低温時の代表センシング装置となり、この代表センシング装置が外気低温時の間欠運転制御を終了するまでは、外気低温時の間欠運転制御状態が「実施中」である他の空調装置１１ａが給気用送風機２４を常時停止とする状態を維持し、センシング運転を行わず、最後に室内ＣＯ２濃度低下時の間欠運転制御を開始した空調装置１１ｄが室内ＣＯ２濃度低下時の代表センシング装置となり、この代表センシング装置が室内ＣＯ２濃度低下時の間欠運転制御を終了するまでは、室内ＣＯ２濃度低下時の間欠運転制御状態が「実施中」である他の空調装置１１ｃが給気用送風機２４を常時停止とする状態を維持し、センシング運転を行わないことを示している。
【００９３】
以上説明した本実施の形態２にかかる空調システムは、複数台の空調装置を管理するコントローラーが、空調装置の間欠運転制御状態を間欠運転制御の種類に応じて管理し、周期の異なる間欠運転制御が同時に発生した場合でも、適切に不要なセンシング運転を行わないようにする。このようにして、複数台の空調装置が、不要なセンシング運転を行わないため、消費電力を抑えることができる。
【００９４】
なお、Ｓ１２０３においては、外気低温時の間欠運転制御を開始する際の室内ＣＯ２濃度低下時の間欠運転制御状態を「終了」とした。これは、本実施の形態２においては、外気低温時の間欠運転制御と室内ＣＯ２濃度低下時の間欠運転制御との２つの間欠運転制御がいずれも給気用送風機に対して間欠運転制御を行うようにしたため、両制御が干渉しないようにした措置である。従って、複数種類の間欠運転制御の制御対象が給気用送風機２４と排気用送風機２５とで異なっている場合には、複数種類の間欠運転制御が干渉しないので、Ｓ１２０３，Ｓ１２０４を行わないように制御してもよい。
【００９５】
また、実施の形態１，２においては、換気機能を有する空調装置について説明したが本発明はこれに限定されるものではない。本発明の空調装置は加湿装置又は冷暖房装置であってもよい。空調装置が加湿装置である場合には、室内高湿度時の間欠運転制御を行い、複数台の加湿装置を管理するコントローラーが、同一室内にある加湿装置を代表センシング装置を判定するグループとすると、複数台の加湿装置が、不要なセンシング運転を行わず、消費電力を抑えることができる。すなわち、室内外の温度、湿度、ガス濃度といった環境情報を間欠運転制御によりセンシングする空調装置であれば、換気機能を有する空調装置に限定されるものではない。
【００９６】
実施の形態３．
実施の形態１においては最後に間欠運転制御を開始した空調装置を代表センシング装置としているが、本実施の形態３では最初に間欠運転制御を開始した空調装置を代表センシング装置とする形態について説明する。
【００９７】
図３２は、駆動制御装置２０の制御動作の一例を示すフローチャートである。図３２に示す制御動作では、間欠運転制御を行っており、排気用送風機２５の動作については説明を省略する。なお、実施の形態１と同一機能及び同一構成については同一の符号を用いて説明を省略し、実施の形態１と同様に動作するものについては説明を省略し、援用するものとする。
【００９８】
図３２では、図７におけるＳ５０４がＳ１５０４に変更され、図７におけるＳ５０４のセンシング停止指令の送信先がＳ５０２で通知した装置に変更されている。Ｓ１５０４においては、集中コントローラー９が、Ｓ５０２で間欠運転制御＝「実施中」を通知した空調装置１１へ、「センシング停止指令＝ＯＮ」を送信し、Ｓ５０２へ戻る。すなわち、空調システム内で最初に間欠運転制御が「実施中」であることを通知して代表センシング装置となった空調装置１１が、センシング運転を行い、後から間欠運転制御状態が「実施中」であることを通知した空調装置１１はセンシング運転を行わないことを意味する。
【００９９】
図３３，３４，３５は、本発明の実施の形態３にかかる空調システムの制御シーケンスの一例を示す図である。図３３，３４，３５には、空調装置１１ａ，１１ｂ，１１ｒ，１１ｓが外気低温時の間欠運転制御を行う際の集中コントローラー９と空調装置１１ａ，１１ｂ，１１ｒ，１１ｓとの間の制御シーケンスを示している。図３３，３４，３５において、図３３のＡ６１，Ｂ６１，Ｃ６１，Ｄ６１，Ｅ６１は各々図３４のＡ６１，Ｂ６１，Ｃ６１，Ｄ６１，Ｅ６１に続き、図３４のＡ６２，Ｂ６２，Ｃ６２，Ｄ６２，Ｅ６２は各々図３５のＡ６２，Ｂ６２，Ｃ６２，Ｄ６２，Ｅ６２に続く。図３３，３４，３５に示す制御シーケンスでは、空調システム内で複数台の空調装置１１が外気低温時の間欠運転制御を行う場合に、最初に外気低温時の間欠運転制御を開始した空調装置１１ａが代表センシング装置となり、この代表センシング装置が間欠運転制御を終了するまでは、間欠運転制御状態が「実施中」である他の空調装置１１では、給気用送風機２４が常時停止の状態を維持し、センシング運転を行わないことを示している。
【０１００】
以上説明した本実施の形態３にかかる空調システムは、間欠運転制御におけるセンシング運転を代表で行う代表センシング装置を最初に間欠運転制御を開始した空調装置に決定し、後に間欠運転制御を開始した空調装置のセンシング運転を行わないように制御しつつ、より早く間欠運転制御から復帰することができる。このようにして、複数台の空調装置が、不要なセンシング運転を行わないため、消費電力を抑えることができる。
【０１０１】
一例として、間欠運転制御が６０分間停止し、３分間運転するように制御する場合に、空調装置１１ａが最初に間欠運転制御を開始してから３０分後に空調装置１１ｂが間欠運転制御を開始した場合、実施の形態１では間欠運転制御を終了するまでに９０分かかるが、本実施の形態３では６０分で終了する。すなわち、空調装置１１ａは、より早く間欠運転制御から復帰することができる。
【０１０２】
なお、本実施の形態３においては、外気低温時の間欠運転制御を例示して説明したが、本発明はこれに限定されず、外気高湿度時の間欠運転制御、フロアー単位での外気低温時の間欠運転制御、テナント単位での間欠運転制御、室内ＣＯ２濃度低下時の間欠運転制御にも適用可能である。
【０１０３】
以上の実施の形態１から３に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１０４】
８，８ａ，８ｂ，８ｃ，８ｄ，８ｅ，８ｆ，８ｇ，８ｈ，８ｉ，８ｊ，８ｋ，８ｍ，８ｎ，８ｐ，８ｒ，８ｓ  個別リモートコントローラー、９  集中コントローラー、１１，１１ａ，１１ｂ，１１ｃ，１１ｄ，１１ｅ，１１ｆ，１１ｇ，１１ｈ，１１ｉ，１１ｊ，１１ｋ，１１ｍ，１１ｎ，１１ｐ，１１ｒ，１１ｓ  空調装置、１２  筐体、１３  室外側吐出口、１５  室外側吸込口、１７  室内側吸込口、１９  室内側吐出口、２０  駆動制御装置、２１  熱交換器、２４  給気用送風機、２５  排気用送風機、２６  室外温湿度センサー、２７  ＣＯ２濃度センサー、３１  交流電源、３２  電源回路、３３  マイクロコンピューター、３４  給気用送風機駆動回路、３５  排気用送風機駆動回路、３６  室外温湿度センサー検知回路、３７  ＣＯ２濃度センサー検知回路、３８  リモートコントローラー通信回路、３９  集中コントローラー通信回路、５１  給気風路、５３  排気風路、８０，８０ａ，８０ｂ，８０ｃ，８０ｄ，８０ｅ，８０ｆ，８０ｇ，８０ｈ，８０ｉ，８０ｊ，８０ｋ，８０ｍ，８０ｎ，８０ｐ，８０ｒ，８０ｓ  リモートコントローラー通信用伝送路、９０  集中コントローラー通信用伝送路、１００，１００ａ  ビル。
【図１】
2017104051.tif 000003
【図２】
2017104051.tif 000004
【図３】
2017104051.tif 000005
【図４】
2017104051.tif 000006
【図５】
2017104051.tif 000007
【図６】
2017104051.tif 000008
【図７】
2017104051.tif 000009
【図８】
2017104051.tif 000010
【図９】
2017104051.tif 000011
【図１０】
2017104051.tif 000012
【図１１】
2017104051.tif 000013
【図１２】
2017104051.tif 000014
【図１３】
2017104051.tif 000015
【図１４】
2017104051.tif 000016
【図１５】
2017104051.tif 000017
【図１６】
2017104051.tif 000018
【図１７】
2017104051.tif 000019
【図１８】
2017104051.tif 000020
【図１９】
2017104051.tif 000021
【図２０】
2017104051.tif 000022
【図２１】
2017104051.tif 000023
【図２２】
2017104051.tif 000024
【図２３】
2017104051.tif 000025
【図２４】
2017104051.tif 000026
【図２５】
2017104051.tif 000027
【図２６】
2017104051.tif 000028
【図２７】
2017104051.tif 000029
【図２８】
2017104051.tif 000030
【図２９】
2017104051.tif 000031
【図３０】
2017104051.tif 000032
【図３１】
2017104051.tif 000033
【図３２】
2017104051.tif 000034
【図３３】
2017104051.tif 000035
【図３４】
2017104051.tif 000036
【図３５】
2017104051.tif 000037
【国際調査報告】
2017104051.tif 000038
2017104051.tif 000039
2017104051.tif 000040
2017104051.tif 000041